(57)【要約】【課題】異なる通信プロトコルを有する光伝送通信装置が光伝送路ネットワーク内に存在する場合でもデータ通信バイトの転送を可能とする。【解決手段】光伝送通信装置Ａ２は光伝送通信装置Ｂ５のデータ通信バイトをそのまま光伝送通信装置Ａ３への光ラインｂに送信する。光伝送通信装置Ａ３へ送信する光ライン中のバイトはＲＳＯＨ、ＭＳＯＨ内で他の機能でも使用していないバイトを割り当てる（これをデータ通信伝送路バイトと表記する）。光伝送通信装置Ａ３は光伝送通信装置Ａ２のデータ通信伝送路バイトをそのまま光伝送通信装置Ｂ６への光ラインｃの中のデータ通信バイトを使用して送信する。これにより、光伝送通信装置Ｂ６は光伝送通信装置Ｂ５からのデータ通信バイトをそのまま受け取ることができる。【選択図】      図１
2004320389.tif 000002
【特許請求の範囲】
【請求項１】
少なくとも１個の制御端末及び複数のデータ転送装置を含むネットワークにおけるデータ転送システムであって、
通信プロトコルによる制御を行うことなく、設定されたデータ転送装置間でデータ通信バイトをそのまま転送する転送手段を含むことを特徴とするデータ通信システム。
【請求項２】
前記データ転送装置は前段のデータ転送装置から送られてきたデ−タ通信バイトからデータを抽出し、そのデータをデータ通信伝送路バイトに挿入して後段のデータ転送装置へ送信することを特徴とする請求項１記載のデータ通信システム。
【請求項３】
前記データ転送装置は前段のデータ転送装置から送られてきたデータ通信伝送路バイトからデータを抽出し、そのデータをデータ通信伝送路バイトに挿入して後段のデータ転送装置へ送信することを特徴とする請求項１記載のデータ通信システム。
【請求項４】
前記データ転送装置は前段のデータ転送装置から送られてきたデータ通信伝送路バイトからデータを抽出し、そのデータをデータ通信バイトに挿入して後段のデータ転送装置へ送信することを特徴とする請求項１記載のデータ通信システム。
【請求項５】
前記データ転送装置はデータ通信バイトあるいはデータ通信伝送路バイトから抽出したデータを、データ通信バイトあるいはデータ通信伝送路バイトへ挿入するためのデータの接続を行う接続部と、この接続部を制御する制御部とを含むことを特徴とする請求項１から４いずれかに記載のデータ通信システム。
【請求項６】
異なる通信プロトコルを有するデータ転送装置で構成されることを特徴とする請求項１から５いずれかに記載のデータ通信システム。
【請求項７】
前段のデータ転送装置の通信プロトコルが自データ転送装置の通信プロトコルと異なり、後段のデータ転送装置の通信プロトコルが自データ転送装置の通信プロトコルと同一であることを特徴とする請求項２記載のデータ通信システム。
【請求項８】
前段及び後段のデータ転送装置の通信プロトコルが自データ転送装置の通信プロトコルと同一であることを特徴とする請求項３記載のデータ通信システム。
【請求項９】
前段のデータ転送装置の通信プロトコルが自データ転送装置の通信プロトコルと同一で、後段のデータ転送装置の通信プロトコルが自データ転送装置の通信プロトコルと異なることを特徴とする請求項４記載のデータ通信システム。
【請求項１０】
同一の通信プロトコルを有するデータ転送装置で構成されることを特徴とする請求項１から５いずれかに記載のデータ通信システム。
【請求項１１】
前記データ通信伝送路バイトとして未使用のバイトが割り当てられることを特徴とする請求項２から１０いずれかに記載のデータ通信システム。
【請求項１２】
通信プロトコルによる制御を行うことなく、データ通信バイトをそのまま転送する転送手段を含むことを特徴とするデータ転送装置。
【請求項１３】
前段のデータ転送装置から送られてきたデータ通信バイトからデータを抽出し、そのデータをデータ通信伝送路バイトに挿入して後段のデータ転送装置へ送信することを特徴とする請求項１２記載のデータ転送装置。
【請求項１４】
前段のデータ転送装置から送られてきたデータ通信伝送路バイトからデータを抽出し、そのデータをデータ通信伝送路バイトに挿入して後段のデータ転送装置へ送信することを特徴とする請求項１２記載のデータ転送装置。
【請求項１５】
前段のデータ転送装置から送られてきたデータ通信伝送路バイトからデータを抽出し、そのデータをデータ通信バイトに挿入して後段のデータ転送装置へ送信することを特徴とする請求項１２記載のデータ転送装置。
【請求項１６】
データ通信バイトあるいはデータ通信伝送路バイトから抽出したデータを、データ通信バイトあるいはデータ通信伝送路バイトへ挿入するためのデータの接続を行う接続部と、この接続部を制御する制御部とを含むことを特徴とする請求項１２から１５いずれかに記載のデータ転送装置。
【請求項１７】
異なる通信プロトコルを有するデータ転送装置で構成されることを特徴とする請求項１２から１６いずれかに記載のデータ転送装置。
【請求項１８】
前段のデータ転送装置の通信プロトコルが自データ転送装置の通信プロトコルと異なり、後段のデータ転送装置の通信プロトコルが自データ転送装置の通信プロトコルと同一であることを特徴とする請求項１３記載のデータ転送装置。
【請求項１９】
前段及び後段のデータ転送装置の通信プロトコルが自データ転送装置の通信プロトコルと同一であることを特徴とする請求項１４記載のデータ転送装置。
【請求項２０】
前段のデータ転送装置の通信プロトコルが自データ転送装置の通信プロトコルと同一で、後段のデータ転送装置の通信プロトコルが自データ転送装置の通信プロトコルと異なることを特徴とする請求項１５記載のデータ転送装置。
【請求項２１】
同一の通信プロトコルを有するデータ転送装置で構成されることを特徴とする請求項１２から１６いずれかに記載のデータ転送装置。
【請求項２２】
前記データ通信伝送路バイトとして未使用のバイトが割り当てられることを特徴とする請求項１３から２１いずれかに記載のデータ転送装置。
【請求項２３】
通信プロトコルによる制御を行うことなく、設定されたデータ転送装置間でデータ通信バイトをそのまま転送する転送ステップを含むことを特徴とするデータ転送方法。
【請求項２４】
前記データ転送装置は前段のデータ転送装置から送られてきたデータ通信バイトからデータを抽出するステップと、そのデータをデータ通信伝送路バイトに挿入して後段のデータ転送装置へ送信するステップとを含むことを特徴とする請求項２３記載のデータ転送方法。
【請求項２５】
前記データ転送装置は前段のデータ転送装置から送られてきたデータ通信伝送路バイトからデータを抽出するステップと、そのデータをデータ通信伝送路バイトに挿入して後段のデータ転送装置へ送信するステップとを含むことを特徴とする請求項２３記載のデータ転送方法。
【請求項２６】
前記データ転送装置は前段のデータ転送装置から送られてきたデータ通信伝送路バイトからデータを抽出するステップと、そのデータをデータ通信バイトに挿入して後段のデータ転送装置へ送信するステップとを含むことを特徴とする請求項２３記載のデータ転送方法。
【請求項２７】
前記データ転送装置はデータ通信バイトあるいはデータ通信伝送路バイトから抽出したデータを、データ通信バイトあるいはデータ通信伝送路バイトへ挿入するためのデータ接続ステップを含むことを特徴とする請求項２３から２６いずれかに記載のデータ転送方法。
【請求項２８】
異なる通信プロトコルを有するデータ転送装置で構成されることを特徴とする請求項２３から２７いずれかに記載のデータ転送方法。
【請求項２９】
前段のデータ転送装置の通信プロトコルが自データ転送装置の通信プロトコルと異なり、後段のデータ転送装置の通信プロトコルが自データ転送装置の通信プロトコルと同一であることを特徴とする請求項２４記載のデータ転送方法。
【請求項３０】
前段及び後段のデータ転送装置の通信プロトコルが自データ転送装置の通信プロトコルと同一であることを特徴とする請求項２５記載のデータ転送方法。
【請求項３１】
前段のデータ転送装置の通信プロトコルが自データ転送装置の通信プロトコルと同一で、後段のデータ転送装置の通信プロトコルが自データ転送装置の通信プロトコルと異なることを特徴とする請求項２６記載のデータ転送方法。
【請求項３２】
同一の通信プロトコルを有するデータ転送装置で構成されることを特徴とする請求項２３から２７いずれかに記載のデータ転送方法。
【請求項３３】
前記データ通信伝送路バイトとして未使用のバイトが割り当てられることを特徴とする請求項２４から３２いずれかに記載のデータ転送方法。
【請求項３４】
データ転送方法をＣＰＵ（Ｃｅｎｔｒａｌ  Ｐｒｏｃｅｓｓｉｎｇ  Ｕｎｉｔ）に実行させるためのプログラムであって、
通信プロトコルによる制御を行うことなく、設定されたデータ転送装置間でデータ通信バイトをそのまま転送する転送ステップを含むことを特徴とするプログラム。
【請求項３５】
前記データ転送装置は前段のデータ転送装置から送られてきたデータ通信バイトからデータを抽出するステップと、そのデータをデータ通信伝送路バイトに挿入して後段のデータ転送装置へ送信するステップとを含むことを特徴とする請求項３４記載のプログラム。
【請求項３６】
前記データ転送装置は前段のデータ転送装置から送られてきたデータ通信伝送路バイトからデータを抽出するステップと、そのデータをデータ通信伝送路バイトに挿入して後段のデータ転送装置へ送信するステップとを含むことを特徴とする請求項３４記載のプログラム。
【請求項３７】
前記データ転送装置は前段のデータ転送装置から送られてきたデータ通信伝送路バイトからデータを抽出するステップと、そのデータをデータ通信バイトに挿入して後段のデータ転送装置へ送信するステップとを含むことを特徴とする請求項３４記載のプログラム。
【請求項３８】
前記データ転送装置はデータ通信バイトあるいはデータ通信伝送路バイトから抽出したデータを、データ通信バイトあるいはデータ通信伝送路バイトへ挿入するためのデータ接続ステップを含むことを特徴とする請求項３４から３７いずれかに記載のプログラム。
【請求項３９】
異なる通信プロトコルを有するデータ転送装置で構成されることを特徴とする請求項３４から３８いずれかに記載のプログラム。
【請求項４０】
前段のデータ転送装置の通信プロトコルが自データ転送装置の通信プロトコルと異なり、後段のデータ転送装置の通信プロトコルが自データ転送装置の通信プロトコルと同一であることを特徴とする請求項３５記載のプログラム。
【請求項４１】
前段及び後段のデータ転送装置の通信プロトコルが自データ転送装置の通信プロトコルと同一であることを特徴とする請求項３６記載のプログラム。
【請求項４２】
前段のデータ転送装置の通信プロトコルが自データ転送装置の通信プロトコルと同一で、後段のデータ転送装置の通信プロトコルが自データ転送装置の通信プロトコルと異なることを特徴とする請求項３７記載のプログラム。
【請求項４３】
同一の通信プロトコルを有するデータ転送装置で構成されることを特徴とする請求項３４から３８いずれかに記載のプログラム。
【請求項４４】
前記データ通信伝送路バイトとして未使用のバイトが割り当てられることを特徴とする請求項３５から４３いずれかに記載のプログラム。
【発明の詳細な説明】
【０００１】
【発明の属する技術分野】
本発明は、データ転送システム及びデータ転送装置並びにその転送方法及び制御プログラムに関し、特に制御端末及び光伝送通信装置で構成される光伝送路ネットワークにおいてデータ通信バイトを転送するデータ転送システム及びデータ転送装置並びにその転送方法及び制御プログラムに関する。
【０００２】
【従来の技術】
データ転送装置、例えば光伝送通信装置は、光伝送通信信号の中の非特許文献１及び非特許文献２規定によるＳＤＨ  Ｒｅｇｅｎｅｒａｔｏｒ  Ｓｅｃｔｉｏｎ  Ｏｖｅｒｈｅａｄ（以下、ＲＳＯＨと略す）に定義されているＤ１〜Ｄ３バイト、又はＳＤＨ  Ｍｕｌｔｉｐｌｅｘ  Ｓｅｃｔｉｏｎ  Ｏｖｅｒｈｅａｄ（以下、ＭＳＯＨと略す）に定義されているＤ４〜Ｄ１２バイト（以下、Ｄ１〜Ｄ３バイト及びＤ４〜Ｄ１２バイトをデータ通信バイトと表記する）を通信チャンネルとして制御パケットの通信に使用し、制御端末からの制御を行う方法が一般的である。
【０００３】
制御端末から制御を行うためには、光伝送通信装置間において制御パケットを制御対象となる光伝送通信装置に届ける必要がある。光伝送通信装置ではこの機能をルーティング機能（中継経路設定機能）で実現している。
【０００４】
ルーティング機能のことを通信プロトコルとして以下では表記する（ＴＣＰ／ＩＰ（Ｔｒａｎｓｍｉｓｓｉｏｎ  Ｃｏｎｔｒｏｌ  Ｐｒｏｔｏｃｏｌ  ／  Ｉｎｔｅｒｎｅｔ  ｐｒｏｔｏｃｏｌ）  、ＯＳＩ（Ｏｐｅｎ  Ｓｙｓｔｅｍｓ  Ｉｎｔｅｒｃｏｎｎｅｃｔｉｏｎ）  といったプロトコルが該当する）。同じ通信プロトコルに基づいた制御端末及び光伝送通信装置で構成される光伝送路ネットワークでは、制御端末から各光伝送通信装置に対する制御は可能である。
【０００５】
しかしながら、異なる通信プロトコルを持った光伝送通信装置が光伝送路ネットワーク内に存在する場合、制御パケットのルーティングができなくなるため制御端末から管理できなくなる光伝送通信装置が生じる。
【０００６】
図１２は従来のデータ転送システムの一例の構成図である。同図は異なる通信プロトコルを持った光伝送通信装置が存在する従来のデータ転送システムの一例を示している。同図を参照すると、従来のデータ転送システムの一例は、制御端末Ａ６１と、光伝送通信装置Ａ６２、Ａ６３と、制御端末Ｂ６４と、光伝送通信装置Ｂ６５、Ｂ６６とを含んで構成される。
【０００７】
制御端末Ａ６１は、通信プロトコルＡにより光伝送通信装置Ａ６２、Ａ６３に対して制御パケットＡ（通信プロトコルＡに基づいた制御パケット群）を送信して光伝送通信装置Ａ６２、Ａ６３を制御する。
【０００８】
光伝送通信装置Ａ６２、Ａ６３は、制御端末Ａ６１からの制御パケットＡを通信プロトコルＡに基づいてルーティング処理する機能を有する。
【０００９】
制御端末Ｂ６４は、通信プロトコルＢにより光伝送通信装置Ｂ６５、Ｂ６６に対して制御パケットＢ（通信プロトコルＢに基づいた制御パケット群）を送信して光伝送通信装置Ｂ６５、Ｂ６６を制御する。
【００１０】
光伝送通信装置Ｂ６５、Ｂ６６は、制御端末Ｂ６４からの制御パケットＢを通信プロトコルＢに基づいてルーティング処理する機能を有する。
【００１１】
次に、従来のデータ転送システムにおける問題点を図１３の例で示す。図１３は従来のデータ転送システムの問題点の一例を示す模式図である。なお、各構成部分は前述の図１２と同様であるため同一番号を付し、その説明を省略する。
【００１２】
図１３を参照すると、制御端末Ｂ６４からの制御パケットＢを光伝送通信装置Ｂ６６へ送信するには光伝送通信装置Ｂ６５、光伝送通信装置Ａ６２及びＡ６３を経由する必要がある。
【００１３】
しかし、光伝送通信装置Ｂ６５と光伝送通信装置Ａ６２は通信プロトコルが異なるため、光伝送通信装置Ｂ６５では光伝送通信装置Ａ６２の存在を通信プロトコルにより自動認識することができない。
【００１４】
即ち、光伝送通信装置Ｂ６５は通信プロトコルＢを用いて光伝送通信装置Ａ６２と通信することができないため、光伝送通信装置Ａ６２に対して制御パケットＢを送信することができない。従って、制御端末Ｂ６４から光伝送通信装置Ｂ６６を制御することができないという問題がある。
【００１５】
ここで、従来の光伝送通信装置の一例の構成について説明する。図１４は従来のデータ転送システムの一例の構成図である。同図を参照すると、従来の光伝送通信装置１０は光インタフェース受信部１１と、ＯＨ受信部１２と、データ通信バイト抽出部１４と、データ通信バイト挿入部１７と、ＯＨ生成部１８と、光インタフェース送信部１９と、光インタフェース受信部２１と、ＯＨ受信部２２と、データ通信バイト抽出部２４と、データ通信バイト挿入部２７と、ＯＨ生成部２８と、光インタフェース送信部２９と、データ通信バイト処理部３１とを含んで構成される。
【００１６】
光インタフェース受信部１１は、光ライン１より光伝送通信信号を受信するとＯＨ受信部１２へ光伝送通信信号を送信する。ＯＨ受信部１２は、光インタフェース受信部１１より受信した光伝送通信信号からＲＳＯＨとＭＳＯＨを取り出してデータ通信バイト抽出部１４へ送信する。データ通信バイト抽出部１４は、ＯＨ受信部１２より受信したＲＳＯＨとＭＳＯＨよりデータ通信バイトを抽出してデータ通信バイト処理部３１へ送信する。データ通信バイト処理部３１は、データ通信バイトより制御パケットを取り出して通信プロトコルによるルーティング処理を行う。
【００１７】
又、制御パケットの送信方向については以下のブロックより構成される。データ通信バイト処理部３１は、ルーティング処理が行われた制御パケットをデータ通信バイトに挿入してデータ通信バイト挿入部１７へ送信する。データ通信バイト挿入部１７は、データ通信バイト処理部３１より受信したデータ通信バイトをＲＳＯＨ又はＭＳＯＨへ挿入しＯＨ生成部１８へ送信する。ＯＨ生成部１８は、データ通信バイト挿入部１７より受信したＲＳＯＨとＭＳＯＨを光伝送通信信号として生成し光インタフェース送信部１９へ送信する。光インタフェース送信部１９は、ＯＨ生成部１８より受信した光伝送通信信号を光ライン１へ送信する。
【００１８】
なお、光伝送通信信号に含まれるペイロード部分はＯＨ受信部１２からデータ通信バイト抽出部１４とは異なる図示しない部位へ送られ、さらにＯＨ生成部１８及び光インタフェース送信部１９を介して光ライン１へ送信される。又、光ライン１は受信側と送信側で同じ光ラインであることを示す。又、光ライン２は、光ライン１とは別の光ラインであるが構成は同じとする。
【００１９】
この光伝送通信装置の構成では制御パケットが必ずデータ通信バイト処理部３１を通るため、異なるプロトコルに基づいた制御パケットの場合、処理（ルーティング）ができない。
【００２０】
一方、この種の従来技術の一例として、第１のネットワークの送信元データフレームに含まれる内容データを、第２のネットワーク宛先アドレスを含む第２のネットワークのヘッダと連結することにより、第２のネットワークを介して送信するための第２のプロトコルと互換性のある第２のネットワークデータフレームを生成するという技術が開示されている（例えば、特許文献１参照）。
【００２１】
【非特許文献１】
ＩＴＵ−Ｔ  Ｇ．７０７（Ｍａｒｃｈ，２０００；  ９  Ｏｖｅｒｈｅａｄ  ｂｙｔｅｓ  ｄｅｓｃｒｉｐｔｉｏｎ  ）
【００２２】
【非特許文献２】
Ｇ．７８３（Ａｐｒｉｌ，  １９９７；  Ａｐｐｅｎｄｉｘ  ＶＩ  Ｄａｔａ  Ｃｏｍｍｕｎｉｃａｔｉｏｎ  Ｃｈａｎｎｅｌ  （ＤＣＣ））
【００２３】
【特許文献１】
特開２０００−１７１２７４号公報（段落００１１、図１）
【００２４】
【発明が解決しようとする課題】
異なる通信プロトコルを持った光伝送通信装置が光伝送路ネットワーク内に存在する場合、制御パケットのルーティングができなくなるため制御端末から管理できなくなる光伝送通信装置が生じる。
【００２５】
又、制御端末Ｂ６４からの制御パケットＢを光伝送通信装置Ｂ６６へ送信するには光伝送通信装置Ｂ６５及び光伝送通信装置Ａ６２とＡ６３を経由する必要があるが、光伝送通信装置Ｂ６５と光伝送通信装置Ａ６２は通信プロトコルが異なるため、光伝送通信装置Ｂ６５では光伝送通信装置Ａ６２の存在を通信プロトコルにより自動認識することができない。
【００２６】
即ち、光伝送通信装置Ｂ６５は通信プロトコルＢを用いて光伝送通信装置Ａ６２と通信することができないため、光伝送通信装置Ａ６２に対して制御パケットＢを送信することができない。従って、制御端末Ｂ６４から光伝送通信装置Ｂ６６を制御することができない。
【００２７】
又、特許文献１記載の技術は第１のプロトコルと互換性のある第１のネットワークの送信元データフレームを第２のプロトコルと互換性のある第２のネットワークのデータフレームに変換するものであるが、これは第１及び第２のプロトコルに対しては有効であるが、第３のプロトコルに対しては有効ではない。なぜならば、第３のプロトコルに対しては上記とは異なる変換が必要となるからである。
【００２８】
そこで、本発明の目的は上記の問題点を解消し、異なる通信プロトコルを有する光伝送通信装置が光伝送路ネットワーク内に存在する場合でもデータ通信バイトの転送が可能で、しかも任意のプロトコルに対して適用が可能なデータ転送システム及びデータ転送装置並びにその転送方法及び制御プログラムを提供することにある。
【００２９】
【課題を解決するための手段】
前記課題を解決するために、本発明によるデータ転送システムは、少なくとも１個の制御端末及び複数のデータ転送装置を含むネットワークにおけるデータ転送システムであって、そのシステムは通信プロトコルによる制御を行うことなく、設定されたデータ転送装置間でデータ通信バイトをそのまま転送する転送手段を含むことを特徴とする。
【００３０】
又、本発明によるデータ転送装置は、通信プロトコルによる制御を行うことなく、データ通信バイトをそのまま転送する転送手段を含むことを特徴とする。
【００３１】
又、本発明によるデータ転送方法は、通信プロトコルによる制御を行うことなく、設定されたデータ転送装置間でデータ通信バイトをそのまま転送する転送ステップを含むことを特徴とする。
【００３２】
又、本発明によるプログラムは、データ転送方法をＣＰＵ（Ｃｅｎｔｒａｌ  Ｐｒｏｃｅｓｓｉｎｇ  Ｕｎｉｔ）に実行させるためのプログラムであって、通信プロトコルによる制御を行うことなく、設定されたデータ転送装置間でデータ通信バイトをそのまま転送する転送ステップを含むことを特徴とする。
【００３３】
このように、設定されたデータ転送装置間でデータ通信バイトをそのまま転送することにより、異なる通信プロトコルを有する光伝送通信装置が光伝送路ネットワーク内に存在する場合でもデータ通信バイトの転送が可能となる。しかも、任意のプロトコルに対して適用が可能となる。
【００３４】
【発明の実施の形態】
以下、本発明の実施の形態について添付図面を参照しながら説明する。まず、本発明に係るデータ転送システムの一例について説明する。図１は本発明に係るデータ転送システムの一例の構成図である。同図を参照すると、本発明に係るデータ転送システムは、制御端末Ａ１と、光伝送通信装置Ａ２、Ａ３と、制御端末Ｂ４と、光伝送通信装置Ｂ５、Ｂ６とを含んで構成される。
【００３５】
まず、本発明に係るデータ転送システムの基本機能について説明する。制御端末Ａ１は、通信プロトコルＡにより光伝送通信装置Ａ２、Ａ３に対して制御パケットＡ（通信プロトコルＡに基づいた制御パケット群）を送信して光伝送通信装置Ａ２、Ａ３を制御する。
【００３６】
光伝送通信装置Ａ２、Ａ３は、制御端末Ａ１からの制御パケットＡを通信プロトコルＡに基づいてルーティング処理する機能を有する。
【００３７】
制御端末Ｂ４は、通信プロトコルＢにより光伝送通信装置Ｂ５、Ｂ６に対して制御パケットＢ（通信プロトコルＢに基づいた制御パケット群）を送信して光伝送通信装置Ｂ５、Ｂ６を制御する。
【００３８】
光伝送通信装置Ｂ５，Ｂ６は、制御端末Ｂ４からの制御パケットＢを通信プロトコルＢに基づいてルーティング処理する機能を有する。
【００３９】
次に、本発明に係るデータ転送システムの特有の機能について説明する。光伝送通信装置Ａ２は光伝送通信装置Ｂ５から光ラインａを介して送信されたデータ通信バイトを通信プロトコルによる制御を行うことなくそのまま光伝送通信装置Ａ３への光ラインｂに送信する。
【００４０】
光伝送通信装置Ａ３へ送信する光ライン中のバイトはＲＳＯＨ、ＭＳＯＨ内で他の機能でも使用していないバイトを割り当てるものとする。以下ではこれをデータ通信伝送路バイトと表記する。なお、データ通信バイト及びデータ通信伝送路バイトについては後述する。
【００４１】
光伝送通信装置Ａ３は光伝送通信装置Ａ２から光ラインｂを介して送信されたデータ通信伝送路バイトを通信プロトコルによる制御を行うことなくそのまま光伝送通信装置Ｂ６への光ラインｃの中のデ−タ通信バイトを使用して送信する。
【００４２】
これにより、光伝送通信装置Ｂ６は光伝送通信装置Ｂ５からのデータ通信バイトをそのまま受け取ることができる。
【００４３】
従って、光伝送通信装置Ｂ５から通信プロトコルによるヘルスチェック等のプロトコルパケットを光伝送通信装置Ａ２とＡ３とを経由して光伝送通信装置Ｂ６へ届けることが可能となり、光伝送通信装置Ｂ５は光伝送通信装置Ｂ６の存在を認識することができ、光伝送通信装置Ｂ６に対して制御パケットＢの送信を開始することができる。これにより、制御端末Ｂ４から光伝送通信装置Ｂ６を制御することが可能となる。
【００４４】
次に、データ通信バイト及びデータ通信伝送路バイトについて説明する。図２はデータ通信バイトを説明するためのＳＤＨフレームにおけるセクション・オ−バヘッド（Ｓｅｃｔｉｏｎ  Ｏｖｅｒｈｅａｄ）バイトの一例の構成図、図３はデータ通信伝送路バイトを説明するためのＳＤＨフレームにおけるセクション・オ−バヘッドバイトの一例の構成図である。
【００４５】
図２及び図３を参照すると、このＳＤＨフレームにおけるセクション・オ−バヘッドバイトは一例として９列×１４４バイト（１６×９バイト）で構成されている。図２を参照すると、ＲＳＯＨの第３列のＤ１，Ｄ２，Ｄ３バイト及びＭＳＯＨの第６〜８列のＤ４〜Ｄ１２バイトがデータ通信バイトとして使用される。一方、図３を参照すると、ＭＳＯＨの第９列の６バイトのＺ２及び６バイトのＮＵがデータ通信伝送路バイトとして使用される。これらのバイトは、データ通信伝送路バイトとして他の機能でも使用されていないバイトが割り当てられる。
【００４６】
例えば、図２のＤ１〜Ｄ３バイトがデータ通信バイトである場合、これに対応するデータ通信伝送路バイトは図３の第９列の５−２バイト〜５−４バイトのＺ２バイトとなり、図２のＤ４〜Ｄ１２バイトがデータ通信バイトである場合、これに対応するデータ通信伝送路バイトは図３の第９列の６−２バイト〜６−４バイトのＺ２バイト及び８−２バイト〜８−４バイトのＮＵバイト並びに９−２バイト〜９−４バイトのＮＵバイトとなる。
【００４７】
なお、ＳＤＨフレームにおけるセクション・オ−バヘッドバイトは図２及び図３に示されるものに限定されるものではなく、非特許文献１規定による他のＳＤＨフレ−ムにおけるセクション・オ−バヘッドバイトにも適用が可能である。同様に、データ通信伝送路バイトをＳＤＨフレームにおけるセクション・オ−バヘッドバイトのどのバイトに割り当てるかについても設定は任意である。但し、データ通信伝送路バイトは他の機能でも使用されていないバイトを割り当てる必要がある。
【００４８】
次に、本発明に係るデータ転送装置について説明する。本実施形態ではデータ転送装置の一例として光伝送通信装置を挙げて説明する。図４は本発明に係る光伝送通信装置の一例の構成図である。同図を参照すると、本光伝送通信装置は従来の光伝送通信装置（図１４参照）に加え、データ通信伝送路バイト抽出部１３、２３と、選択部１５、２５と、データ通信伝送路バイト挿入部１６、２６と、制御部３２と、接続部３３と、記録媒体３４とを含んでいる。
【００４９】
データ通信伝送路バイト抽出部１３は、ＯＨ受信部１２より受信したＲＳＯＨとＭＳＯＨより、データ通信伝送路バイトからデータを抽出して接続部３３の入力１へ送信する。
【００５０】
データ通信バイト抽出部１４は、取り出したデータをデータ通信バイト処理部３１だけでなく接続部３３の入力２にも送信する。
【００５１】
接続部３３は、後述する制御部３２からの制御情報を基に受信した入力１〜入力４の受信データを出力１〜出力４に接続するクロスコネクト処理を行う。
【００５２】
データ通信伝送路バイト挿入部１６は、接続部３３の出力１から受信したデータをＲＳＯＨ又はＭＳＯＨのデータ通信伝送路バイトに挿入し、それをＯＨ生成部１８へ送信する。
【００５３】
選択部１５は、後述する制御部３２からの選択情報によりデータ通信バイト処理部３１又は接続部３３の出力２からデータ通信バイトを選択してデータ通信バイト挿入部１７へ送信する。
【００５４】
尚、光ライン２は別の光ラインであるが光ライン１と構成及び動作は同様である。
【００５５】
制御部３２は、選択部１５及び選択部２５に対して、データ通信バイト処理部３１と接続部３３のどちらのデータ通信バイトを選択するかを制御する選択情報を送信する。選択部１５及び選択部２５へは独立した制御を行うものとする。
【００５６】
また、接続部３３に対しては入力１、入力２、入力３あるいは入力４のデータをそれぞれ別の光ラインの出力１、出力２、出力３あるいは出力４のデータに接続する制御情報を送信する。
【００５７】
これらの選択情報及び制御情報はユーザの操作により外部から記録媒体３４に予め入力されるものである。これら選択情報及び制御情報については後述する。
【００５８】
又、記録媒体３４には制御部３２に選択部１５、２５及び接続部３３を制御させるためのプログラム、即ち後述する図８〜１０にフローチャートで示すプログラムが格納されている。制御部３２は記録媒体３４から読み出したプログラムに基づき選択部１５、２５及び接続部３３を制御する。
【００５９】
まず、図４を参照して同じ通信プロトコルを用いる光伝送通信装置のみが複数個接続されている場合の光伝送通信装置の動作について説明する。
【００６０】
光インタフェース受信部１１は、光ライン１より光伝送通信信号を受信するとＯＨ受信部１２へ光伝送通信信号を送信する。ＯＨ受信部１２は、光インタフェース受信部１１より受信した光伝送通信信号からＲＳＯＨとＭＳＯＨを取り出してデータ通信バイト抽出部１４へ送信する。データ通信バイト抽出部１４は、ＯＨ受信部１２より受信したＲＳＯＨとＭＳＯＨよりデータ通信バイトを抽出してデータ通信バイト処理部３１へ送信する。データ通信バイト処理部３１は、データ通信バイトより制御パケットを取り出して従来と同様の通信プロトコルによるルーティング処理を行う。
【００６１】
又、制御パケットの送信方向については以下のブロックより構成される。データ通信バイト処理部３１は、従来と同様の通信プロトコルによるルーティング処理が行われた制御パケットをデータ通信バイトに挿入して選択部２５へ送信する。選択部２５は制御部３２からの制御に従ってデータ通信バイト処理部３１からのデータ通信バイトを選択してデータ通信バイト挿入部２７へ送信する。データ通信バイト挿入部２７は、データ通信バイト処理部３１より受信したデータ通信バイトをＲＳＯＨ又はＭＳＯＨへ挿入しＯＨ生成部２８へ送信する。ＯＨ生成部２８は、データ通信バイト挿入部２７より受信したＲＳＯＨとＭＳＯＨを光伝送通信信号として生成し光インタフェース送信部２９へ送信する。光インタフェース送信部２９は、ＯＨ生成部２８より受信した光伝送通信信号を光ライン２へ送信する。
【００６２】
即ち、同じ通信プロトコルを用いる光伝送通信装置のみが複数個接続されている場合は、光ライン１から入力されたデータ通信バイトは接続部３３を経由しないで、データ通信バイト処理部３１を経由して光ライン２へ出力される。従って、この場合、制御部３２は接続部３３に対してスイッチ切り替えのための制御情報は出力しない。但し、制御部３２は選択部２５に対しデータ通信バイト処理部３１からのデータ通信バイトを選択するよう選択情報を出力する。
【００６３】
なお、光伝送通信信号に含まれるペイロード部分はＯＨ受信部１２からデータ通信伝送路バイト抽出部１３及びデータ通信バイト抽出部１４とは異なる図示しない部位へ送られ、さらにＯＨ生成部２８及び光インタフェース送信部２９を介して光ライン２へ送信される。又、光ライン１は受信側と送信側で同じ光ラインであることを示す。又、光ライン２は、光ライン１とは別の光ラインであるが構成は同じとする。
【００６４】
次に選択情報及び制御情報について説明する。図５は制御情報の一例を示す説明図、図６は選択情報の一例を示す説明図、図７は本発明に係るデータ転送システムの他の一例を示す構成図である。
【００６５】
図５に示す制御情報は制御部３２から接続部３３に対し出力されるもので、接続部３３におけるスイッチの切り替えを指示する情報である。図６に示す選択情報は制御部３２から選択部１５、２５に対し出力されるもので、選択部１５、２５においてデータ通信バイト処理部３１からのデータ通信バイトを選択するか、あるいは接続部３３からのデータ通信バイトを選択するかを指示する情報である。
【００６６】
まず、図１に示すように、通信プロトコルＢに基づき動作する光伝送通信装置Ｂ５と、通信プロトコルＡに基づき動作する光伝送通信装置Ａ２及びＡ３と、通信プロトコルＢに基づき動作する光伝送通信装置Ｂ６とが直列に接続されている場合について説明する。
【００６７】
この場合、本発明が適用されるのは光伝送通信装置Ａ２及びＡ３である。光伝送通信装置Ａ２の前段には光伝送通信装置Ａ２と通信プロトコルが異なる光伝送通信装置Ｂ５が接続され、後段には通信プロトコルが同じ光伝送通信装置Ａ３が接続されている。又、光伝送通信装置Ａ３の前段には光伝送通信装置Ａ２と通信プロトコルが同じ光伝送通信装置Ａ２が接続され、後段には通信プロトコルが異なる光伝送通信装置Ｂ６が接続されている。
【００６８】
図４を参照すると、光伝送通信装置Ａ２において、光伝送通信装置Ｂ５（光ライン１）からの光伝送通信信号は光インタフェース受信部１１及びＯＨ受信部１２を介してデータ通信バイト抽出部１４に入力され、データ通信バイトが抽出される。そして、抽出されたデータ通信バイトは入力２、接続部３３及び出力３を介してデータ通信伝送路バイト挿入部２６へ入力され、データ通信バイトはデータ通信伝送路バイトに挿入される。そして、そのデータ通信伝送路バイトはＯＨ生成部２８及び光インタフェース送信部２９を介して光ライン２へ送信される。
【００６９】
即ち、この場合、制御部３２は接続部３３に対し入力２と出力３とを接続させるための制御情報を出力し、接続部３３はこの制御情報に従って入力２と出力３とを接続する。又、制御部３２は選択部１５、２５に「選択情報なし」の選択情報を出力する。
【００７０】
図４を参照すると、光伝送通信装置Ａ３において、光伝送通信装置Ａ２から（光ライン１から）のデータ通信伝送路バイトは光インタフェース受信部１１及びＯＨ受信部１２を介してデータ通信伝送路バイト抽出部１３に入力され、データ通信伝送路バイトからデータ通信バイトが抽出される。そして、抽出されたデータ通信バイトは入力１、接続部３３及び出力４を介して選択部２５へ入力される。選択部２５ではこのデータ通信バイトが選択され、その選択されたデータ通信バイトはデータ通信バイト挿入部２７、ＯＨ生成部２８及び光インタフェース送信部２９を介して光ライン２へ送信される。
【００７１】
即ち、この場合、制御部３２は接続部３３に対し入力１と出力４とを接続させるための制御情報を出力し、接続部３３はこの制御情報に従って入力１と出力４とを接続する。又、制御部３２は選択部２５に対し接続部３３からのデータ通信バイトを選択させるための選択情報を出力する。なお、制御部３２は選択部１５に「選択情報無し」の選択情報を出力する。
【００７２】
次に、図７に示すように、通信プロトコルＢに基づき動作する光伝送通信装置４１と、通信プロトコルＡに基づき動作する光伝送通信装置４２〜４４と、通信プロトコルＢに基づき動作する光伝送通信装置４５とが直列に接続されている場合について説明する。
【００７３】
この場合、本発明が適用されるのは光伝送通信装置４２〜４４である。光伝送通信装置４２の前段には光伝送通信装置４２と通信プロトコルが異なる光伝送通信装置４１が接続され、後段には通信プロトコルが同じ光伝送通信装置４３が接続されている。又、光伝送通信装置４３の前段には光伝送通信装置４２と通信プロトコルが同じ光伝送通信装置４２が接続され、後段にも通信プロトコルが同じ光伝送通信装置４４が接続されている。又、光伝送通信装置４４の前段には光伝送通信装置４４と通信プロトコルが同じ光伝送通信装置４３が接続され、後段には通信プロトコルが異なる光伝送通信装置４５が接続されている。
【００７４】
図７では、光伝送通信装置４１から光通信伝送装置４５へデ−タ通信バイトを送信するものとすると、光伝送通信装置４２は前段に異なる通信プロトコルに基づき動作する光伝送通信装置４１が接続され、後段に同じ通信プロトコルに基づき動作する光伝送通信装置４３が接続されているため、接続部３３の接続及び選択部１５、２５の選択は前述の光伝送通信装置Ａ２の場合と同様となる。
【００７５】
即ち、制御部３２から接続部３３に対して入力２と出力３とを接続させる制御情報が出力され（図５参照）、制御部３２から選択部１５，２５に対しては「選択情報無し」の情報が出力される（図６参照）。
【００７６】
又、光伝送通信装置４３は前段に同じ通信プロトコルに基づき動作する光伝送通信装置４２が接続され、後段にも同じ通信プロトコルに基づき動作する光伝送通信装置４４が接続されているため、接続部３３の接続及び選択部１５、２５の選択は前述の光伝送通信装置Ａ２及びＡ３とは異なるものとなる。この場合、図４において、光伝送通信装置４３は光伝送通信装置４２から光インタフェース受信部１１及びＯＨ受信部１２を介してデータ通信伝送路バイト抽出部１３にて受け取ったデータ通信伝送路バイトを、入力１、接続部３３、出力３、データ通信伝送路バイト挿入部２６、ＯＨ生成部２８及び光インタフェース送信部２９を介してそのまま光ライン２へ送信する。
【００７７】
即ち、制御部３２から接続部３３に対して入力１と出力３とを接続させる制御情報が出力され（図５参照）、制御部３２から選択部１５，２５に対しては「選択情報無し」の情報が出力される（図６参照）。
【００７８】
又、光伝送通信装置４４は前段に同じ通信プロトコルに基づき動作する光伝送通信装置４３が接続され、後段に異なる通信プロトコルに基づき動作する光伝送通信装置４５が接続されているため、接続部３３の接続及び選択部１５、２５の選択は前述の光伝送通信装置Ａ３の場合と同様となる。
【００７９】
即ち、制御部３２から接続部３３に対して入力１と出力４とを接続させる制御情報が出力され（図５参照）、制御部３２から選択部１５に対しては「選択情報無し」の情報が、選択部２５に対しては接続部３３からのデ−タ通信バイトを選択させる選択情報が出力される（図６参照）。
【００８０】
以下に、本発明に係るデータ転送システムの動作を図４〜図７及び図８〜図１０を参照しながら説明する。図８は光伝送通信装置４２の動作を示すフローチャート、図９は光伝送通信装置４３の動作を示すフローチャート、図１０は光伝送通信装置４４の動作を示すフローチャートである。
【００８１】
図７を参照すると、光伝送通信装置４１から光伝送通信装置４５へデータ通信バイトを送信するには光伝送通信装置４２〜４４を経由する必要があり、光伝送通信装置４２〜４４は本発明の動作によりデータ通信バイトを転送する機能を持っているものとする。
【００８２】
次に、光伝送通信装置４２〜４４の装置内部の動作を順に説明する。光伝送通信装置４２は、装置４２光ライン１から光伝送通信信号を受信すると（  図８のＳ１）  、図４における光インタフェース受信部１１とＯＨ受信部１２とデータ通信バイト抽出部１４を経てデータ通信バイトを抽出し（Ｓ２）、データ通信バイト処理部３１と接続部３３にデータを送信する（Ｓ３）。
【００８３】
接続部３３は、制御部３２からの制御情報に基づき図５で示すように入力２側のデータ通信バイト抽出部１４から受信したデータを出力３側に接続しデータ通信伝送路バイト挿入部２６へ送信する（Ｓ４）。
【００８４】
データ通信伝送路バイト挿入部２６から出力されたデータ通信伝送路バイトはＯＨ生成部２８と光インタフェース送信部２９を経て光ライン２へ送信される（Ｓ５）。
【００８５】
光伝送通信装置４３は、装置４３光ライン１から光伝送通信信号を受信すると（図９のＳ１１）、図４における光インタフェース受信部１１とＯＨ受信部１２とデータ通信伝送路バイト抽出部１３を経てデータ通信伝送路バイトを抽出し  （Ｓ１２）、接続部３３にデータを送信する（Ｓ１３）。
【００８６】
接続部３３は、制御部３２からの制御情報に基づき図５で示すように入力１側のデータ通信伝送路バイト抽出部１３から受信したデータを出力３側に接続しデータ通信伝送路バイト挿入部２６へ送信する（Ｓ１４）。
【００８７】
データ通信伝送路バイト挿入部２６から出力されたデータ通信伝送路バイトはＯＨ生成部２８と光インタフェース送信部２９を経て光ライン２へ送信される（Ｓ１５）。
【００８８】
光伝送通信装置４４は装置４４光ライン１から光伝送通信信号を受信すると  （図１０のＳ２１）、図４における光インタフェース受信部１１とＯＨ受信部１２とデータ通信伝送路バイト抽出部１３を経てデータ通信伝送路バイトを抽出し（Ｓ２２）、接続部３３にデータを送信する（Ｓ２３）。
【００８９】
接続部３３は、制御部３２からの制御情報に基づき図５で示すように入力１側のデータ通信伝送路バイト抽出部１３から受信したデータを出力４側に接続し選択部２５へ送信する（Ｓ２４）。
【００９０】
選択部２５は、制御部３２からの選択情報に基づき図６で示すように接続部３３からのデータを選択する（Ｓ２５）。
【００９１】
選択部２５から出力されたデータ通信バイトはデータ通信バイト挿入部２７とＯＨ生成部２８と光インタフェース送信部２９を経て光ライン２へ送信される（Ｓ２６）。
【００９２】
これらの動作により光伝送通信装置４１からの制御パケットが光伝送通信装置４２〜４４を経由して光伝送通信装置４５に届く。
【００９３】
以上の実施例では、通信プロトコルＢに基づく光伝送通信装置の間に２個の通信プロトコルＡに基づく光伝送通信装置２，３が接続される例（図１参照）と、通信プロトコルＢに基づく光伝送通信装置の間に３個の通信プロトコルＡに基づく光伝送通信装置４２〜４４が接続される例（図７参照）とについて説明したが、これに限定されるものではなく、通信プロトコルＢに基づく光伝送通信装置の間に４個以上の通信プロトコルＡに基づく光伝送通信装置が接続される場合にも本発明の適用が可能である。即ち、通信プロトコルＡに基づく光伝送通信装置が４個以上接続される場合は、前述の光伝送通信装置４３（図７参照）における接続部３３及び選択部１５、２５の動作が必要回数繰り返されることになる。
【００９４】
次に、本発明に係るデータ転送システムの他の一例について説明する。図１１は本発明に係るデータ転送システムの他の一例の構成図である。同図を参照すると、データ転送システムの他の一例は、制御端末Ｃ５１と、光伝送通信装置Ｃ５２〜５５とを含んで構成されている。
【００９５】
制御端末Ｃ５１は、通信プロトコルＣにより光伝送通信装置Ｃ５２〜Ｃ５５に対して制御パケットを送信して光伝送通信装置Ｃ５２〜Ｃ５５を制御する。光伝送通信装置Ｃ５２〜Ｃ５５は、制御端末Ｃ５１からの制御パケットを通信プロトコルＣに基づいてルーティング処理する機能を有する。
【００９６】
制御端末Ｃ５１からの制御パケットを光伝送通信装置Ｃ５５へ送信するには光伝送通信装置Ｃ５２〜Ｃ５４を経由する必要がある。光伝送通信装置Ｃ５２〜Ｃ５４の各光伝送通信装置では通信プロトコルＣによるルーティング処理が行われる。
【００９７】
そのため、従来技術では制御端末Ｃ５１から光伝送通信装置Ｃ５５へ制御パケットを送信するときにはホップ数が３となっていた。
【００９８】
一方、本発明において同じ通信プロトコルを用いる光伝送通信装置のみが複数個接続されている場合は、光ライン１から入力されたデータ通信バイトは接続部３３を経由しないで、データ通信バイト処理部３１を経由して光ライン２へ出力される（図４参照）と前述した。しかし、このような場合にも両端の光伝送通信装置に挟まれた複数の光伝送通信装置（図１１の場合は光伝送通信装置５３及び５４）に対し、本発明（即ち、接続部３３及び選択部１５、２５を用いる制御）の適用が可能である。
【００９９】
即ち、本発明に係るデータ転送システムを光伝送通信装置Ｃ５３とＣ５４に配備すると、光伝送通信装置Ｃ５２では通信プロトコルＣによるルーティング処理を行う必要があるが、光伝送通信装置Ｃ５３とＣ５４では通信プロトコルＣによるルーティング処理を行わずに制御パケットを転送することが可能となるため、制御端末Ｃ５１から光伝送通信装置Ｃ５５へ制御パケットを送信するときのホップ数が１となり、最大ホップ数を短くすることできる。
【０１００】
【発明の効果】
本発明によれば、通信プロトコルによる制御を行うことなく、設定されたデータ転送装置間でデータ通信バイトをそのまま転送する構成であるため、異なる通信プロトコルを有する光伝送通信装置が光伝送路ネットワーク内に存在する場合でもデータ通信バイトの転送か可能となる。しかも、任意のプロトコルに対して適用が可能となる。
【０１０１】
更に、同一の通信プロトコルを持った光伝送通信装置により光伝送路ネットワークが構成されている場合は、通信プロトコルによるルーティング処理を行う必要が無くなるため最大ホップ数を短くすることができる。
【図面の簡単な説明】
【図１】本発明に係るデータ転送システムの一例の構成図である。
【図２】データ通信バイトを説明するためのＳＤＨフレームにおけるセクション・オ−バヘッドバイトの一例の構成図である。
【図３】データ通信伝送路バイトを説明するためのＳＤＨフレームにおけるセクション・オ−バヘッドバイトの一例の構成図である。
【図４】本発明に係る光伝送通信装置の一例の構成図である。
【図５】制御情報の一例を示す説明図である。
【図６】選択情報の一例を示す説明図である。
【図７】本発明に係るデータ転送システムの他の一例を示す構成図である。
【図８】光伝送通信装置４２の動作を示すフローチャートである。
【図９】光伝送通信装置４３の動作を示すフローチャートである。
【図１０】光伝送通信装置４４の動作を示すフローチャートである。
【図１１】本発明に係るデータ転送システムの他の一例の構成図である。
【図１２】従来のデータ転送システムの一例の構成図である。
【図１３】従来のデータ転送システムの問題点の一例を示す模式図である。
【図１４】従来のデータ転送システムの一例の構成図である。
【符号の説明】
１  制御端末Ａ
２，３  光伝送通信装置Ａ
４  制御端末Ｂ
５，６  光伝送通信装置Ｂ
１１，２１  光インタフェース受信部
１２，２２  ＯＨ受信部
１３，２３  データ通信伝送路バイト抽出部
１４，２４  データ通信バイト抽出部
１５，２５  選択部
１６，２６  データ通信伝送路バイト挿入部
１７，２７  データ通信バイト挿入部
１８，２８  ＯＨ生成部
１９，２９  インタフェース送信部
２０  光伝送通信装置
３１  データ通信バイト処理部
３２  制御部
３３  接続部
３４  記録媒体
【図１】
2004320389.tif 000003
【図２】
2004320389.tif 000004
【図３】
2004320389.tif 000005
【図４】
2004320389.tif 000006
【図５】
2004320389.tif 000007
【図６】
2004320389.tif 000008
【図７】
2004320389.tif 000009
【図８】
2004320389.tif 000010
【図９】
2004320389.tif 000011
【図１０】
2004320389.tif 000012
【図１１】
2004320389.tif 000013
【図１２】
2004320389.tif 000014
【図１３】
2004320389.tif 000015
【図１４】
2004320389.tif 000016